(57)【特許請求の範囲】
【請求項１】
物体側より順に、合焦機能および変倍機能を有するズーム部と、結像作用を有するマスター部とを備えた撮影用レンズにおいて、
前記マスター部が、
アフォーカル系を形成する前側レンズ群と、前側レンズ群を介して平行光束が入射される後側レンズ群とに分割されて構成され、
前記後側レンズ群は、
最も物体側に、光軸に対して垂直方向に移動可能に構成された防振用レンズ群が配置され、かつ、マクロ撮影およびトラッキング調整のために光軸方向に移動可能に構成されたマクロ・トラッキング用レンズ群を含むように構成されていることを特徴とする撮影用レンズ。
【請求項２】
前記防振用レンズ群は、以下の条件式（１），（２）を満たす１枚の凸レンズで構成されていることを特徴とする請求項１記載の撮影用レンズ。
Ｎd＜1.60 ……（１）
νd＞50.0 ……（２）
ただし、Ｎd：d線に対する屈折率
νd：d線に対するアッベ数
【請求項３】
前記後側レンズ群は、
前記防振用レンズ群と、前記マクロ・トラッキング用レンズ群との間に配置された、固定レンズ群を含んで構成されていることを特徴とする請求項１または２記載の撮影用レンズ。
【発明の詳細な説明】
【０００１】
【発明の属する技術分野】
本発明は、主として業務用（放送用）のテレビ（テレビジョン）カメラ用レンズとして好適な撮影用レンズに関する。
【０００２】
【従来の技術】
一般に、放送用のテレビカメラには、ズームレンズが使用されている。テレビカメラ用ズームレンズは、合焦機能および変倍機能を有するズーム部と、結像作用を有するマスター部（マスターレンズ）とを、絞りを介して物体側より順に備えたものが一般的な構成である。ズーム部は、フォーカスレンズ群、変倍（ズーム）レンズ群および補正レンズ群を有している。マスター部は、リレー部（リレーレンズ）とも呼ばれる。マスター部には、撮影倍率を切り換えるためのエクステンダーレンズが交換可能に挿入される場合がある。この場合、エクステンダーレンズが挿入される部分は、通常、平行光束部とされ、アフォーカル系を形成している。これは、異なる倍率用のエクステンダーレンズに切り換えたときに光学性能の変化を少なくするためである。
【０００３】
テレビカメラ用ズームレンズは、通常、トラッキング調整機能およびマクロ撮影（近接撮影）機能を備えている。トラッキング調整機能は、被写体像を撮像素子の受像面上に鮮鋭に結像させるべく、レンズの結像位置（ピント位置）を微調整するためのものである。従来、トラッキング調整機能およびマクロ撮影機能を実現するものとして、マスター部の一部を光軸方向に沿って移動させる方法が知られている。
【０００４】
具体的には、まず、第１の方法として、マスター部を前群と後群とに分け、トラッキング調整時およびマクロ撮影時に、後群全体を光軸方向に沿って移動させるものが知られている。なお、マスター部を前群と後群とに分けた場合、通常、前群が、上述のエクステンダーレンズに相当し、アフォーカル系を形成する。次に、第２の方法として、マスター部を前群と後群とに分けると共に、後群をさらに第１および第２レンズ群の２つに分け、マクロ撮影時には第１レンズ群を移動させ、トラッキング調整時には第２レンズ群を移動させるものが知られている。また、第３の方法として、マスター部を前群と後群とに分けると共に、後群をさらに第１〜第３レンズ群の３つに分け、マクロ撮影時には第１レンズ群を移動させ、トラッキング調整時には第３レンズ群を移動させるものが知られている。
【０００５】
【発明が解決しようとする課題】
ところで、最近では、テレビカメラ用ズームレンズにおいて、トラッキング調整機能およびマクロ撮影機能に加えて、光学的な防振機能を持たせたいという要求がある。光学的な防振方法としては、一部のレンズを、振動に応じて光軸に対して垂直方向に移動させることが考えられる。この場合、防振機能を持たせるレンズは、その移動によって結像性能が悪化しないように、できるだけ平行光束が入射される部分のレンズであることが望ましい。すなわち、マスター部が前群と後群とに分けられ、前群がアフォーカル系を形成している場合には、後群の最も物体側のレンズ部分に防振機能を持たせることが最適であると考えられる。
【０００６】
しかしながら、従来のレンズ構成において、一部のレンズに防振機能を持たせようとすると、以下のような問題が生じる。まず、上述の第１の方法を用いたレンズ構成において、防振機能を持たせようとすると、トラッキング調整機能およびマクロ撮影機能を有する後群の一部のレンズに、さらに防振機能を持たせる必要があるため、レンズを移動させるための機構が複雑となり、機構的な面で事実上実現が不可能である。第２の方法においても、マクロ撮影機能を有する後群の第１レンズ群の一部のレンズに、さらに防振機能を持たせる必要があるため、機構的な面で事実上実現が不可能である。また、第３の方法においては、後群の第２レンズ群が、トラッキング調整機能およびマクロ撮影機能に関与していないので、この第２レンズ群に防振機能を持たせることが考えられる。しかしながら、第２レンズ群に防振機能を持たせることは、機構的な問題は少ないものの、光学性能上、最適なものとは言えない。上述のように、防振機能を持たせるレンズは、その移動によって結像性能が悪化しないように、後群の最も物体側のレンズ（第１レンズ群）であることが望ましいからである。そこで、機構的にも光学性能的にも問題が生じないようにして、防振機能を持たせることのできるレンズの開発が望まれる。
【０００７】
本発明はかかる問題点に鑑みてなされたもので、その目的は、マスター部に、マクロ撮影機能およびトラッキング調整機能に加えて、容易に防振機能を持たせることができる撮影用レンズを提供することにある。
【０００８】
【課題を解決するための手段】
本発明による撮影用レンズは、物体側より順に、合焦機能および変倍機能を有するズーム部と、結像作用を有するマスター部とを備えた撮影用レンズにおいて、マスター部が、アフォーカル系を形成する前側レンズ群と、前側レンズ群を介して平行光束が入射される後側レンズ群とに分割されて構成されている。そして、後側レンズ群が、物体側より順に、光軸に対して垂直方向に移動可能に構成された防振用レンズ群と、マクロ撮影およびトラッキング調整のために光軸方向に移動可能に構成されたマクロ・トラッキング用レンズ群とを少なくとも含んで構成されている。
【０００９】
本発明による撮影用レンズでは、光軸に対して垂直方向に移動する防振用レンズ群と、光軸方向に移動するマクロ・トラッキング用レンズ群とが別々に配置されているので、機構的に容易に防振機能が実現される。また、平行光束が入射される後側レンズ群の最も物体側に防振用レンズ群が配置されているので、防振時のレンズ移動による結像性能の悪化が防止される。これにより、機構的な問題と光学性能的な問題が解決され、マスター部にマクロ撮影機能およびトラッキング調整機能に加えて、防振機能を持たせることが容易とされる。
【００１０】
また、本発明による撮影用レンズは、防振用レンズ群が、以下の条件式（１），（２）を満たす１枚の凸レンズで構成されていることが望ましい。
Ｎd＜1.60  ……（１）
νd＞50.0  ……（２）
ただし、
Ｎd：d線に対する屈折率
νd：d線に対するアッベ数
【００１１】
本発明による撮影用レンズでは、防振用レンズ群を、１枚の凸レンズによって構成することで、防振時に移動させるレンズの軽量化が図られ、防振時におけるレンズ移動が速やかに、かつ容易に行われる。また、屈折率とアッベ数とに関する所定の条件式（１），（２）を満たすことで、防振時のレンズ移動による結像性能の悪化が低減される。
【００１２】
さらに、本発明による撮影用レンズは、後側レンズ群が、防振用レンズ群と、マクロ・トラッキング用レンズ群との間に配置された、固定レンズ群を含んで構成されていることが望ましい。
【００１３】
本発明による撮影用レンズでは、防振用レンズ群と、マクロ・トラッキング用レンズ群との間に、固定レンズ群が配置されていることにより、防振用レンズ群とマクロ・トラッキング用レンズ群とを移動させる際における互いの機構的な干渉が防止される。
【００１４】
【発明の実施の形態】
以下、本発明の実施の形態について図面を参照して詳細に説明する。
【００１５】
図１は、本発明の一実施の形態に係る撮影用レンズ１の各焦点距離状態での全体構成を示している。より具体的には、図１（Ａ）は、最短焦点距離状態（低倍率状態、広角端（焦点距離ｆ＝13.97mm））、図１（Ｂ）は、中間焦点距離状態（ｆ＝41.92mm）、図１（Ｃ）は、最長焦点距離状態（高倍率状態、望遠端（ｆ＝167.68mm））での構成を示す。また、図２には、本撮影用レンズ１のうち、特に、ズーム部ＺＧの構成を詳しく示し、図３には、特に、マスター部ＭＧの構成を詳しく示している。なお、これらの図において、符号ＺOBJで示す側が物体側、すなわち、例えば撮影用の被写体が存在する側である。また、符号ＺIMGで示す側が結像側（像面側）、すなわち、本撮影用レンズ１による撮影像が結像される側である。３は、結像面を示す。図２および図３において、符号Ｒｉは、最も物体側のレンズ面を１番目として、像面側に向かうに従い順次増加するｉ番目のレンズ面の曲率半径を示す。符号Ｄｉは、ｉ番目のレンズ面とｉ＋１番目のレンズ面との光軸上の面間隔を示す。
【００１６】
本撮影用レンズ１は、図１に示したように、光軸Ｚ0に沿って、物体側より順に、合焦機能および変倍機能を有するズーム部ＺＧと、結像作用を有するマスター部（マスターレンズ）ＭＧとを備えている。ズーム部ＺＧと、マスター部ＭＧとの間には、絞りＳｔが設けられている。
【００１７】
ズーム部ＺＧは、物体側より順に、フォーカスレンズ群Ｇ１と、ズームレンズ群Ｇ２とを有している。フォーカスレンズ群Ｇ１は、図２に示したように、例えば第１レンズＬ１〜第４レンズＬ４の４つのレンズが物体側より順に配設されて構成されている。このフォーカスレンズ群Ｇ１は、合焦機能を実現するためのものであり、光軸Ｚ0方向に移動可能に構成されている。このフォーカスレンズ群Ｇ１は、変倍動作（ズーミング）に関係なく移動し、主として有限距離にある被写体を撮影する際の焦点調節に使用される。
【００１８】
ズームレンズ群Ｇ２は、変倍機能を実現するためのものであり、物体側より順に、第１ズームレンズ群Ｇ２Ａ、第２ズームレンズ群Ｇ２Ｂおよび第３ズームレンズ群Ｇ３Ｃを含んでいる。第１ズームレンズ群Ｇ２Ａは、図２に示したように、例えば第５レンズＬ５〜第８レンズＬ８の４つのレンズが物体側より順に配設されて構成されている。第２ズームレンズ群Ｇ２Ｂは、図示したように、例えば第９レンズＬ９〜第１２レンズＬ１２の４つのレンズが物体側より順に配設されて構成されている。第３ズームレンズ群Ｇ２Ｃは、図示したように、例えば第１３レンズＬ１３単独で構成されている。
【００１９】
第１ズームレンズ群Ｇ２Ａ〜第３ズームレンズ群Ｇ３Ｃは、光軸Ｚ0方向に移動可能に構成されている。これらのレンズ群Ｇ２Ａ〜Ｇ３Ｃの移動により、本撮影用レンズ１の全体の焦点距離と共に、結像倍率が変化し、変倍機能が実現される。特に、第１ズームレンズ群Ｇ２Ａは、光軸上、像面側に移動することにより、広角端から望遠端へと全体の結像倍率を変化させる機能を有している。一方、第２ズームレンズ群Ｇ２Ｂおよび第３ズームレンズ群Ｇ３Ｃは、広角端から望遠端への変倍に際し、第１ズームレンズ群Ｇ２Ａと連動して、光軸上、物体側に移動することにより、結像倍率の変化に伴う像面移動を補正する機能を有している。第２ズームレンズ群Ｇ２Ｂおよび第３ズームレンズ群Ｇ３Ｃの移動方式については、変倍に際し、移動距離を各々異ならせる、いわゆるフローティング方式を採用することが好ましい。
【００２０】
マスター部ＭＧは、図３にその詳細を示したように、前側マスターレンズ群（以下、単に前側レンズ群という。）ＭＦと、後側マスターレンズ群（以下、単に後側レンズ群という。）ＭＲとが物体側より順に分割配置されて構成されている。
【００２１】
前側レンズ群ＭＦは、図示したように、例えば第１４レンズＬ１４〜第１６レンズＬ１６の３つのレンズが物体側より順に配設されて構成されている。この前側レンズ群ＭＦは、アフォーカル系を形成しており、撮影倍率を切り換えるためのエクステンダーレンズとしての役割を持たせることが可能となっている。前側レンズ群ＭＦが、アフォーカル系となっていることにより、異なる倍率用のレンズに切り換えたときにも光学性能の変化を少なくすることが可能となっている。
【００２２】
後側レンズ群ＭＲには、前側レンズ群ＭＦからの平行光束が入射されるようになっている。この後側レンズ群ＭＲは、物体側より順に、光軸Ｚ0に対して垂直方向に移動可能に構成された防振用レンズ群（後側第１レンズ群）ＭＲ１と、マクロ撮影およびトラッキング調整のために光軸方向に移動可能に構成されたマクロ・トラッキング用レンズ群（後側第３レンズ群）ＭＲ３とを含んで構成されている。防振用レンズ群ＭＲ１と、マクロ・トラッキング用レンズ群ＭＲ３との間には、固定レンズ群（後側第２レンズ群）ＭＲ２が配置されていることが望ましい。固定レンズ群ＭＲ２は、図示したように、例えば、凹レンズからなる第１８レンズＬ１８と凸レンズからなる第１９レンズＬ１９との２つのレンズが物体側より順に配設されて構成されている。
【００２３】
防振用レンズ群ＭＲ１は、以下の条件式（１），（２）を満たす１枚の凸レンズＬ１７で構成されていることが望ましい。ただし、式中、Ｎdは、d線に対する屈折率を示し、νdは、d線に対するアッベ数を示す。また、防振用レンズ群ＭＲ１は、レンズ移動による結像性能の悪化が少なくなるよう、そのパワーが弱めであることが望ましい。
Ｎd＜1.60  ……（１）
νd＞50.0  ……（２）
【００２４】
マクロ・トラッキング用レンズ群ＭＲ３は、図示したように、例えば、像面側に凸面を向けた第２０レンズＬ２０と物体側に凸面を向けた第２１レンズＬ２１との２つのレンズが物体側より順に配設されて構成されている。
【００２５】
次に、以上のような構成の撮影用レンズ１によってもたらされる光学的な作用および効果について説明する。
【００２６】
本撮影用レンズ１では、通常の撮影を行う場合、まず、マクロ・トラッキング用レンズ群ＭＲ３を光軸Ｚ0方向に移動させることにより、結像位置の調整（トラッキング調整）が行われる。次に、トラッキング調整が行われた後の状態で、ズームレンズ群Ｇ２を光軸Ｚ0方向に移動させることにより、所望の倍率となるよう、変倍が行われる。またこのとき、適宜フォーカスレンズ群Ｇ１を光軸Ｚ0方向に移動させることにより、焦点調節が行われる。マクロ撮影を行う場合には、トラッキング調整時と同様に、マクロ・トラッキング用レンズ群ＭＲ３を光軸Ｚ0方向に移動させ、マクロ撮影に適した位置になるよう、レンズ位置が調整される。また、通常の撮影時およびマクロ撮影時にレンズ系に振動が与えられた場合には、その振動の大きさに応じて、防振用レンズ群ＭＲ１が光軸Ｚ0に対して垂直方向に移動し、光学的な防振が行われる。
【００２７】
本撮影用レンズ１では、防振用レンズ群ＭＲ１とマクロ・トラッキング用レンズ群ＭＲ３とが別々に配置されているので、機構的に容易に防振機能が実現される。また、平行光束が入射される後側レンズ群ＭＲの最も物体側に防振用レンズ群ＭＲ１が配置されているので、防振時のレンズ移動による結像性能の悪化が防止される。
【００２８】
本撮影用レンズ１において、防振用レンズ群ＭＲ１を、１枚の凸レンズによって構成した場合には、防振時に移動させるレンズの軽量化が図られ、機構的な構成を簡素化できる。また、防振時におけるレンズ移動を速やかに、かつ容易に行うことができる。
【００２９】
条件式（１），（２）は、防振用レンズ群ＭＲ１を構成するレンズの材質を制限するものであり、この条件を満たすことで、防振時のレンズ移動による結像性能の悪化が低減される。条件式（１），（２）の範囲を超えると、防振時のレンズ移動に伴って結像性能が悪化するおそれがある。
【００３０】
また、本撮影用レンズ１では、防振用レンズ群ＭＲ１と、マクロ・トラッキング用レンズ群ＭＲ３との間に、固定レンズ群ＭＲ２が配置されていることにより、防振用レンズ群ＭＲ１とマクロ・トラッキング用レンズ群ＭＲ３とを移動させる際における互いの機構的な干渉が防止される。
【００３１】
以上説明したように、本実施の形態の撮影用レンズ１によれば、機構的にも光学性能的にも問題が生じないようにして、マスター部ＭＧに、マクロ撮影機能およびトラッキング調整機能に加えて、容易に防振機能を持たせることができる。
【００３２】
［実施例］
次に、本実施の形態の撮影用レンズ１の具体的な数値実施例について説明する。
【００３３】
本実施例の撮影用レンズ（以下、撮影用レンズ1-1と記す。）の断面構造およびそのズーム方式は、図１〜図３に示したものと同様となっている。
【００３４】
図４〜図６は、本撮影用レンズ1-1の構成に関する具体的な数値データを示している。より詳しくは、図４は、ズーム部ＺＧについての基本的なレンズデータを示し、図５は、マスター部ＭＧについての基本的なレンズデータを示す。図７は、後述するように、可変面間隔のデータを示す。
【００３５】
図４および図５における面番号Ｓｉの欄には、本撮影用レンズ1-1について、最も物体側のレンズ面を１番目として、像面側に向かうに従い順次増加するレンズ面の番号を示している。曲率半径Ｒｉの欄には、図２および図３に示した符号Ｒｉに対応させて、物体側からｉ番目のレンズ面の曲率半径の値を示している。面間隔Ｄｉの欄についても、図２および図３に示した符号Ｄｉに対応させて、物体側からｉ番目のレンズ面Ｓｉとｉ＋１番目のレンズ面Ｓｉ＋１との光軸上の間隔を示す。曲率半径Ｒｉおよび面間隔Ｄｉの値の単位はミリメートル（mm）である。Ｎdjおよびνdjの欄には、それぞれ、物体側からj番目(J=1〜21)のレンズ要素のｄ線（波長λd＝587.6nm）に対する屈折率およびアッベ数の値を示す。
【００３６】
本撮影用レンズ1-1では、第１ズームレンズ群Ｇ２Ａ、第２ズームレンズ群Ｇ２Ｂおよび第３ズームレンズ群Ｇ３Ｃを光軸Ｚ0に沿って移動させることにより変倍を行うようになっている。このため、面間隔Ｄ８，Ｄ１５，Ｄ２２，Ｄ２４の値は、変倍に伴い変化する。図６は、これらのズームによる可変面間隔Ｄ８，Ｄ１５，Ｄ２２，Ｄ２４についてのデータを、広角端（焦点距離ｆ＝13.97mm）および望遠端（ｆ＝167.68mm）ならびに中間焦点距離状態（ｆ＝41.92mm）のそれぞれについて示している。
【００３７】
図７には、本実施例における防振用レンズ群ＭＲ１の移動量に関するデータを示す。図７の防振に関するデータは、距離１２ｍにある物体を撮影しているときに、絞りＳｔを中心としてレンズ系全体が傾いた（回転した）場合における防振用レンズ群ＭＲ１の移動量を、各焦点距離状態について示したものである。
【００３８】
なお、図５に示したレンズデータ中、面番号３０，３１の部分が防振用レンズ群ＭＲ１（第１７レンズＬ１７）に相当する。本実施例では、図５に示したように、防振用レンズ群ＭＲ１の屈折率Ｎdおよびアッベ数νdの値は、それぞれ「1.516314」，「64.1」であり、上述の条件式（１），（２）の範囲内となっている。
【００３９】
図８〜図１０は、それぞれ、広角端、中間焦点距離状態および望遠端での本撮影用レンズ1-1の諸収差を示している。図８〜図１０において、（Ａ）は球面収差を示し、（Ｂ）は非点収差を示し、（Ｃ）はディストーション（歪曲収差）を示している。これらの図において、各収差はd線を基準としたものを示している。各収差図において、符号ｇ，ｄを付した曲線は、それぞれｇ線、ｄについての収差を示している。ｇ線の波長は、435.8nmである。（Ｂ）において、実線はサジタル像面Ｓに対する収差を示し、破線はタンジェンシャル（メリジオナル）像面Ｔに対する収差を示している。なお、各収差図において、ＦN0.は、Ｆナンバーを示す。
【００４０】
なお、本発明は、上記実施の形態に限定されず種々の変形実施が可能である。例えば、各レンズ成分の曲率半径Ｒ、面間隔Ｄ、屈折率Ｎおよびアッベ数νの値は、上記数値実施例で示した値に限定されず、他の値を取り得る。また、各レンズ群を構成するレンズ枚数も図示したものに限定されず、他の値を取り得る。
【００４１】
また、本発明は、テレビカメラ用レンズに限らず、スチルカメラなど種々の撮影装置に広く適用することが可能である。また、ズーム部ＺＧのズーム方式は、図示したものに限らず他の方式を採り得る。
【００４２】
【発明の効果】
以上説明したように、請求項１ないし３のいずれか１項に記載の撮影用レンズによれば、光軸に対して垂直方向に移動する防振用レンズ群と、光軸方向に移動するマクロ・トラッキング用レンズ群とを別々に配置したので、機構的に容易に防振機能を実現できる。また、平行光束が入射される後側レンズ群の最も物体側に防振用レンズ群を配置したので、防振時のレンズ移動による結像性能の悪化を少なくすることができる。これにより、機構的にも光学性能的にも問題が生じないようにして、マスター部に、マクロ撮影機能およびトラッキング調整機能に加えて、容易に防振機能を持たせることができる。
【００４３】
特に、請求項２記載の撮影用レンズによれば、請求項１記載の撮影用レンズにおいて、防振用レンズ群を、１枚の凸レンズによって構成したので、防振時に移動させるレンズの軽量化が図られ、防振時におけるレンズ移動を速やかに、かつ容易に行うことができる。また、屈折率とアッベ数とに関する所定の条件式（１），（２）を満たすようにしたので、防振時のレンズ移動による結像性能の悪化を低減することができる。
【００４４】
また特に、請求項３記載の撮影用レンズによれば、請求項１または２記載の撮影用レンズにおいて、防振用レンズ群と、マクロ・トラッキング用レンズ群との間に、固定レンズ群を配置するようにしたので、防振用レンズ群とマクロ・トラッキング用レンズ群とを移動させる際の機構的な干渉を少なくすることができる。
【図面の簡単な説明】
【図１】本発明の一実施の形態に係る撮影用レンズの各焦点距離状態での全体構成を示す断面図であり、（Ａ）は、最短焦点距離状態（広角端）、（Ｂ）は、中間焦点距離状態、（Ｃ）は、最長焦点距離状態（望遠端）での構成を示す。
【図２】本発明の一実施の形態に係る撮影用レンズのズーム部の構成をより詳しく示す断面図である。
【図３】本発明の一実施の形態に係る撮影用レンズのマスター部の構成をより詳しく示す断面図である。
【図４】本発明の一実施の形態に係る撮影用レンズのズーム部の数値実施例を示す説明図である。
【図５】本発明の一実施の形態に係る撮影用レンズのマスター部の数値実施例を示す説明図である。
【図６】図４および図５に示した実施例の撮影用レンズにおけるズームによる面間隔の変化量のデータを示す説明図である。
【図７】図４および図５に示した実施例の撮影用レンズにおける防振時の防振用レンズ群の移動量のデータを示す説明図である。
【図８】実施例の撮影用レンズにおける広角端での球面収差、非点収差およびディストーションを示す収差図である。
【図９】実施例の撮影用レンズにおける中間焦点距離状態での球面収差、非点収差およびディストーションを示す収差図である。
【図１０】実施例の撮影用レンズにおける望遠端での球面収差、非点収差およびディストーションを示す収差図である。
【符号の説明】
Ｇ１…フォーカスレンズ群、Ｇ２…ズームレンズ群、Ｇ２Ａ…第１ズームレンズ群、Ｇ２Ｂ…第２ズームレンズ群、Ｇ２Ｃ…第３ズームレンズ群、ＭＧ…マスター部、ＭＦ…前側マスターレンズ群（前側レンズ群）、ＭＲ…後側マスターレンズ群（後側レンズ群）、ＭＲ１…後側第１レンズ群（防振用レンズ群）、ＭＲ２…後側第２レンズ群（固定レンズ群）、ＭＲ３…後側第３レンズ群（マクロ・トラッキング用レンズ群）、ＺＧ…ズーム部、Ｚ0…光軸、１…撮影用レンズ、３…結像面。
【図１】
0004749586.tif 000002
【図２】
0004749586.tif 000003
【図３】
0004749586.tif 000004
【図４】
0004749586.tif 000005
【図５】
0004749586.tif 000006
【図６】
0004749586.tif 000007
【図７】
0004749586.tif 000008
【図８】
0004749586.tif 000009
【図９】
0004749586.tif 000010
【図１０】
0004749586.tif 000011